(57)【要約】      （修正有）【課題】起き上がりこぼし台座を採用し、固定ロッドをずっと垂直状態を維持し、倒れることを防止できると同時に、照明の需要に応じてランプホルダーの高さを調整でき、使用に満足する倒れ防止型のLEDフロアスタンドを提供する。【解決手段】起き上がりこぼし台座１を含み、その起き上がりこぼし台座のトップ部にカバー２を設置してあり、そのカバーの枢軸位置には挿入部３があり、その挿入部に固定ロッド４を合わせてあり、その挿入部とその固定ロッドの間第一ボルト３０１があり、その固定ロッドの中に可動ロッド５が設置してあり、その固定ロッドのトップに近い位置に可動ロッドを固定用の第二ボルト４０１を設置してあり、その可動ロッドのトップ部にはランプソケット６を設置してあり、そのランプソケット内にはランプホルダー７があり、その可動ロッドのトップ部の外輪位置に三つ以上のフィン８が設けられ、この三つ以上のフィンの間にシェード９を設けてある。【選択図】図１
0003206168.tif 000002
【実用新案登録請求の範囲】
【請求項１】
LED フロアスタンドにおいて、
起き上がりこぼし台座を含み、その起き上がりこぼし台座のトップ部にカバーを設置してあり、そのカバーの枢軸位置には挿入部があり、その挿入部に固定ロッドを合わせてあり、その挿入部とその固定ロッドの間に第一ボルトがあり、その固定ロッドの中に可動ロッドが設置してあり、その固定ロッドのトップに近い位置に固定用の第二ボルトを設置してあり、その可動ロッドのトップ部にはランプソケットを設置してあり、そのランプソケット内にはランプホルダーがあり、その可動ロッドのトップ部の外輪位置に三つ以上のフィンが設けられ、この三つ以上のフィンの間にシェードを設けてあり、その固定ロッドの上には可動スリーブが設けてあり、その可動スリーブの外輪には収納ボックスが設けてあり、その収納ボックスの開口は上向きに設置してあり、そして開口部にネジがあり、その可動スリーブの外輪にその固定ロッドの第三ボルトをセットしてあり、その収納ボックス上のその固定ロッドに収納カバーが設置してあり、その収納カバーの底部の縁にはねじ突出があり、そのねじ突出とその収納ボックスの開口部の雌ネジとをセットし繋げ、その収納ボックスのトップにはハンドルがある
ことを特徴とするLED フロアスタンド。
【考案の詳細な説明】
【技術分野】
【０００１】
本実用新型は一種の倒れ防止型のLED フロアスタンドに関連する。
【背景技術】
【０００２】
フロアスタンドはよく見られる家庭用照明施設であり、使用に応じて位置を変えることができ、照明のニーズを満たすことができる。しかし、既存の技術ではフロアスタンドの置き状態は安定度がよくない、子供のいる家族の場合、子供が不注意で触れたら、フロアスタンドが倒れて、壊されるかもしれない。
【０００３】
以上の問題に基づいて、一種の倒れ防止に有効なフロアスタンドを提供することが必要である。
【考案の概要】
【考案が解決しようとする課題】
【０００４】
実用新型が解決する必要な問題は一種の倒れ防止型のLED フロアスタンドを提供すること、本措置は起き上がりこぼし台座を利用し、固定ロッドをずっと固定ロッドをずっと垂直状態を維持し、倒れることを防止できると同時に、本措置は照明の需要に応じてランプホルダーの高さを調整でき、使用ニーズを満足できる。収納カバーを利用して密閉保存に対して便利である。
【課題を解決するための手段】
【０００５】
以上の問題を解決するために、本実用新型は以下の技術案を採用する。一種の倒れ防止型のLED フロアスタンド、起き上がりこぼし台座を含め、その起き上がりこぼし台座のトップ部にカバーを設置してあり、そのカバーの枢軸位置には挿入部があり、その挿入部に固定ロッドを合わせてあり、その挿入部とその固定ロッドの間第一ボルトがあり、その固定ロッドの中に可動ロッドが設置してあり、その固定ロッドのトップに近い位置に可動ロッドを固定用の第二ボルトを設置してあり、その可動ロッドのトップ部にはランプソケットを設置してあり、そのランプソケット内にはランプホルダーがあり、その可動ロッドのトップ部の外輪位置に三つ以上のフィンが設けられ、この三つ以上のフィンの間にシェードを設けてあり、その固定ロッドの上には可動スリーブが設けてあり、その可動スリーブの外輪には収納ボックスが設けてあり、その収納ボックスの開口は上向きに設置してあり、そして開口部にネジがあり、その可動スリーブの外輪にその固定ロッドの第三ボルトをセットしてあり、そお収納ボックス上のその固定ロッドに収納カバーが設置してあり、その収納カバーの底部の縁にはねじ突出があり、そのねじ突出とその収納ボックスの開口部の雌ネジとセットし繋げ、その収納ボックスのトップにはハンドルがある。
【０００６】
優秀な技術案として、そのランプホルダーはLEDホルダーである。
【０００７】
優秀な技術案として、その収納ボックスの内部には平らな下面があり、その収納ボックスの下面に滑り止めパッドが設置してあり、その滑り止めパッドはゴム製で、その滑り止めパッドの厚さは1mm-2mm、その滑り止めパッドはその収納ボックスの間はアクティブな接続である。
【考案の効果】
【０００８】
本措置の有益な効果は：起き上がりこぼし台座を利用し、固定ロッドをずっと固定ロッドをずっと垂直状態を維持し、倒れることを防止できると同時に、本措置は照明の需要に応じてランプホルダーの高さを調整でき、使用ニーズを満足できる。収納カバーを利用して密閉保存に対して便利である。本措置の構造が簡単で、コストが低い、普及させることが相応しい。
【図面の簡単な説明】
【０００９】
【図１】本実用新型の構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１に示された倒れ防止型のLED フロアスタンドを参考してください、起き上がりこぼし台座１を含め、その起き上がりこぼし台座１のトップ部にカバー２を設置してあり、そのカバーと起き上がりこぼし台座の間はネジで繋げ、そのカバー２の枢軸位置には挿入部３があり、その挿入部３に固定ロッド４を合わせてあり、その挿入部３とその固定ロッド４の間第一ボルト301があり、その固定ロッド４の中に可動ロッド5が設置してあり、その固定ロッド4のトップに近い位置に可動ロッド5を固定用の第二ボルト401を設置してあり、その可動ロッド5のトップ部にはランプソケット6を設置してあり、そのランプソケット6内にはランプホルダー7があり、その可動ロッド5のトップ部の外輪位置に三つ以上のフィン８が設けられ、この三つ以上のフィン8の間にシェード９を設けてあり、その固定ロッド４の上には可動スリーブ10が設けてあり、その可動スリーブ10の外輪には収納ボックス11が設けてあり、その収納ボックス11の開口は上向きに設置してあり、そして開口部にネジがあり、その可動スリーブ10の外輪にその固定ロッド４の第三ボルト12をセットしてあり、そお収納ボックス11上のその固定ロッド４に収納カバー13が設置してあり、その収納カバー13の底部の縁にはねじ突出132があり、そのねじ突出132とその収納ボックス11の開口部の雌ネジとセットし繋げ、その収納バー13のトップにはハンドル131がある。
【００１２】
本実用新型の中一つの好ましい実施例として、そのランプホルダー7はLEDホルダーである。
【００１３】
本実用新型の中一つの好ましい実施例として、その収納ボックスの内部には平らな下面があり、その収納ボックスの下面に滑り止めパッドが設置してあり、その滑り止めパッドはゴム製で、その滑り止めパッドの厚さは1mm-2mm、その滑り止めパッドはその収納ボックスの間はアクティブな接続である。
【００１４】
本措置の有益な効果は：起き上がりこぼし台座を利用し、固定ロッドをずっと固定ロッドをずっと垂直状態を維持し、倒れることを防止できると同時に、本措置は照明の需要に応じてランプホルダーの高さを調整でき、使用ニーズを満足できる。収納カバーを利用して密閉保存に対して便利である。本措置の構造が簡単で、コストが低い、普及させることが相応しい。
【００１５】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206168.tif 000003